(57)【特許請求の範囲】
【請求項１】
シート状物を搬送する搬送手段と、
前記シート状物の搬送方向に沿って移動できるように配設され、当該シート状物を減速させる減速手段と
を備えた枚葉印刷機において、
前記減速手段の前記シート状物の搬送方向上流側に設けられ、前記シート状物を案内する第一案内手段と、
前記減速手段の移動に伴って前記シート状物の搬送方向に沿って移動できるように設けられ、当該シート状物を案内する案内面に穴を複数有すると共に、当該減速手段と前記第一案内手段との間を覆う第二案内手段と、
前記第二案内手段の前記穴から空気の吹出または吸引を行うように空気を流通させる空気流通手段と
を備えて構成され、
前記第二案内手段が、前記案内面に前記穴を複数有して前記空気流通手段を連結された第二案内板を前記シート状物の搬送方向と交差する方向に屈曲できるように当該シート状物の搬送方向に沿って複数連結し、前記第二案内板を前記減速手段に連結してなる
ことを特徴とする枚葉印刷機のシート状物案内装置。
【請求項２】
前記第二案内手段が、前記シート状物の搬送方向最下流の前記第二案内板を前記減速手段に連結してなる
ことを特徴とする請求項１に記載の枚葉印刷機のシート状物案内装置。
【請求項３】
前記第二案内手段が、前記シート状物を案内する案内位置と当該案内位置から離れた退避位置との間を移動できるように、前記案内面に前記穴を複数有して前記空気流通手段を連結された第二案内板を案内するガイド部材を備えた
ことを特徴とする請求項１に記載の枚葉印刷機のシート状物案内装置。
【請求項４】
前記第一案内手段が、前記シート状物の搬送を案内する案内面に穴を複数有し、前記空気流通手段を連結されて当該穴から空気の吹出または吸引を行う第一案内板を備えてなる
ことを特徴とする請求項１に記載の枚葉印刷機のシート状物案内装置。
【発明の詳細な説明】
【０００１】
【発明の属する技術分野】
本発明は、枚葉印刷機の印刷ユニットで印刷された枚葉紙やフィルムなどのようなシート状物の搬送を案内する装置に関する。
【０００２】
【従来の技術】
枚葉印刷機には、一般に、印刷ユニットで印刷された枚葉紙やフィルムなどのようなシート状物の搬送を案内するシート状物案内装置が備えられている。このようなシート状物案内装置の一例（例えば特開平４−２１１９４３号公報等に開示された排紙装置）を図７に示す。
【０００３】
図７に示すように、対をなすスプロケット１１１ａ，１１１ｂ間には、チェーン１１２が巻き掛けられている。チェーン１１２には、枚葉紙をくわえる図示しない爪竿が設けられている。紙積台１１３近傍のチェーン１１２下方位置には、枚葉紙を吸引する吸引車１１４が回転駆動可能に設けられており、当該吸引車１１４は、枚葉紙の搬送速度よりも遅い周速度で回転すると共に、チェーン１１２の走行方向に沿って所定長スライド移動できるようになっている。
【０００４】
チェーン１１２の下方の紙積台１１３とスプロケット１１１ａとの間には、枚葉紙の面方向に沿って空気を噴出する噴射穴を多数有するガイド板１１５が設けられている。ガイド板１１５の周囲には、ホイール１１６ａ〜１１６ｈが配設されており、ホイール１１６ｅは、前記吸引車１１４のスライド移動と連なってスライド移動でき、ホイール１１６ｇは、下方側へ移動するように付勢されている。ホイール１１６ａ，１１６ｂ間およびホイール１１６ｃ〜１１６ｈ間には、搬送ベルト１１７が上記ガイド板１１５を内側に位置させるようにしてそれぞれ掛け渡されている。
【０００５】
このような排紙装置において、スプロケット１１１ａ，１１１ｂを駆動回転させて、チェーン１１２を走行させ、当該チェーン１１２と同速度で搬送ベルト１１７を走行させると共に、ガイド板１１５の噴射穴から空気を噴射すると、印刷された枚葉紙は、その前端が前記爪竿でくわえられると共に、ガイド板１１５から噴射された空気によりガイド板１１５との間が負圧状態となってその後端側が搬送ベルト１１７に密着し、チェーン１１２の走行移動に伴って搬送されると共に搬送ベルト１１７の走行移動に伴って案内された後、吸引車１１４で吸引されることで搬送速度を低減されて、前記爪竿から離されることにより、紙積台１１３上に排紙される。
【０００６】
このため、前記爪竿で前端をくわえられた枚葉紙の後端をバタつかせることなく案内することができると共に、枚葉紙の裏面を擦ることなく案内することができる。
【０００７】
また、吸引車１１４のスライド移動に伴ってホイール１１６ｅがスライド移動し、搬送ベルト１１７による案内距離を変更することができるので、枚葉紙のサイズに合わせて吸引車１１４の位置および搬送ベルト１１７による案内距離を調整することができる。
【０００８】
【発明が解決しようとする課題】
前述したような排紙装置において、吸引車１１４をスプロケット１１１ｂ側に移動させ、搬送ベルト１１７の案内距離を延長すると、ホイール１１６ｄ，１１６ｅ間で枚葉紙を搬送ベルト１１７に密着させることができない。このため、サイズの小さい枚葉紙を案内する場合には、枚葉紙が上記間でバタついてしまうという問題があった。
【０００９】
このような問題は、上述したような枚葉紙の排紙装置に限らず、枚葉印刷機で印刷されたフィルムなどのようなシート状物の搬送を案内するシート状物案内装置であれば、上述と同様にして生じていた。
【００１０】
このようなことから、本発明は、どのようなサイズのシート状物であっても、バタつかせることなく案内することができる枚葉印刷機のシート状物案内装置を提供することを目的とした。
【００１１】
【課題を解決するための手段】
前述した課題を解決するための、本発明による枚葉印刷機のシート状物案内装置は、シート状物を搬送する搬送手段と、前記シート状物の搬送方向に沿って移動できるように配設され、当該シート状物を減速させる減速手段とを備えた枚葉印刷機において、前記減速手段の前記シート状物の搬送方向上流側に設けられ、前記シート状物を案内する第一案内手段と、前記減速手段の移動に伴って前記シート状物の搬送方向に沿って移動できるように設けられ、当該シート状物を案内する案内面に穴を複数有すると共に、当該減速手段と前記第一案内手段との間を覆う第二案内手段と、前記第二案内手段の前記穴から空気の吹出または吸引を行うように空気を流通させる空気流通手段とを備えて構成され、前記第二案内手段が、前記案内面に前記穴を複数有して前記空気流通手段を連結された第二案内板を前記シート状物の搬送方向と交差する方向に屈曲できるように当該シート状物の搬送方向に沿って複数連結し、前記第二案内板を前記減速手段に連結してなることを特徴とする。
【００１２】
上述した枚葉印刷機のシート状物案内装置において、前記第二案内手段が、前記シート状物の搬送方向最下流の前記第二案内板を前記減速手段に連結してなることを特徴とする。
【００１３】
上述した枚葉印刷機のシート状物案内装置において、前記第二案内手段が、前記シート状物を案内する案内位置と当該案内位置から離れた退避位置との間を移動できるように、前記案内面に前記穴を複数有して前記空気流通手段を連結された第二案内板を案内するガイド部材を備えたことを特徴とする。
【００１４】
上述した枚葉印刷機のシート状物案内装置において、前記第一案内手段が、前記シート状物の搬送を案内する案内面に穴を複数有し、前記空気流通手段を連結されて当該穴から空気の吹出または吸引を行う第一案内板を備えてなることを特徴とする。
【００１５】
【発明の実施の形態】
本発明による枚葉印刷機のシート状物案内装置を枚葉紙の排紙装置に適用した場合の実施の形態を図１〜６を用いて説明する。なお、図１は、その概略構成を表す側面図、図２は、図１の主要部の平面図、図３は、一方の固定案内板の平面図、図４は、他方の固定案内板の平面図、図５は、図３の矢線Ｖ部の抽出拡大断面図、図６は、移動案内板の平面図である。
【００１６】
図１において、１は紙搬送胴であり、印刷ユニットで印刷されたシート状物である枚葉紙を受け取るようになっている。１１は排紙胴であり、紙積台２の近傍に配設された図示しないスプロケットと対をなして回転することができるようになっている。１２はチェーンであり、上記排紙胴１１および上記スプロケット間に掛け渡され、当該排紙胴１１および当該スプロケットの回転に伴って走行移動できるようになっている。１３は爪竿であり、上記チェーン１２に取り付けられ、前記紙搬送胴１から枚葉紙を受け取って、紙積台２上で当該枚葉紙を離すことができるようになっている。このような排紙胴１１、チェーン１２、爪竿１３、前記スプロケットなどにより、本実施の形態では搬送手段を構成している。
【００１７】
図１，２に示すように、紙積台２近傍のチェーン１２下方位置には、枚葉紙を吸引して当該枚葉紙を減速させる減速手段である吸引車１４が枚葉紙の幅方向にわたって複数配備されており、当該吸引車１４は、前記紙積台２と前記排紙胴１１近傍との間をスライド移動できる、すなわち、枚葉紙の搬送方向に沿って移動できると共に、枚葉紙の幅方向に沿ってスライド移動して隣接間隔を調整できるように、フレーム１０に軸１４ａを介して支持され、枚葉紙の搬送速度よりも遅い周速度で走行すると共に長手方向にわたって所定の間隔で複数の吸引孔１４ｃを形成されたベルト１４ｂを備えている。
【００１８】
図１〜４に示すように、排紙胴１１近傍のチェーン１２の下方、すなわち、前記吸引車１４の枚葉紙搬送方向上流側には、内部の中空の箱型をなす第一案内板である固定案内板１５，１６がフレーム１０に固定支持されている。固定案内板１５，１６の下部には、空気を送給する空気流通手段である図示しないコンプレッサがホースを介して連結されている。
【００１９】
図３，４に示すように、固定案内板１５，１６の上面（案内面）には、角穴１５ａ，１６ａが所定の間隔で複数（本実施の形態では、固定案内板１５に６×１０個、固定案内板１６に２×１０個）形成されている。固定案内板１５，１６の上面の角穴１５ａ，１６ａの幅方向内側近傍には、丸穴１５ｂ，１６ｂがそれぞれ形成されている。図５に示すように、固定案内板１５の上面裏側（内部）の上記穴１５ａ，１５ｂ部分には、当該穴１５ａ，１５ｂから噴出する空気の流通方向を規制する規制板１５ｃが各々配設されており、当該規制板１５ｃは、固定案内板１５の幅方向外側の端部が当該固定案内板１５の上面裏側に固定され、固定案内板１５の幅方向内側の端部が当該固定案内板１５の上面裏側と隙間を有すると共に、前記丸穴１５ｂと連通する連通穴１５ｄが形成され、枚葉紙の搬送方向の両端部と固定案内板１５の上面裏側との隙間がシール材等で閉塞されている。また、固定案内板１６にも、上記規制板１５ｃと同様な規制板１６ｃが取り付けられている。
【００２０】
つまり、前記コンプレッサを作動して固定案内板１５，１６内に空気を送給すると、当該空気は、規制板１５ｃ，１６ｃの前記幅方向内側の端部と前記上面裏側との間を通って角穴１５ａ，１６ａから前記幅方向外側へ向けて吹き出すと共に、規制板１５ｃ，１６ｃの連通穴１５ｄを介して前記丸穴１５ｂ，１６ｂから上方へ向けて吹き出すことにより、枚葉紙を固定案内板１５，１６の上面に対してわずかに浮かせながら幅方向に引っ張るように作用するのである。このような固定案内板１５，１６、前記コンプレッサなどにより、本実施の形態では第一案内手段を構成している。
【００２１】
なお、本実施の形態では、固定案内板１５において、前記幅方向中央部分で空気によるクッションがなくなって当該部分で枚葉紙が接触してしまうことを防止するため、幅方向中央付近の一部の角穴１５ａから幅方向内側へ向けて空気を吹き出せるように当該部分の規制板１５ｃの固定端部と解放端部とを逆に設定し、固定案内板１６において、枚葉紙を天地方向に確実に引っ張れるようにするため、枚葉紙搬送方向最上流側の角穴１６ｃからの空気を当該搬送方向上流側へ所定角度向けて吹き出せるように当該角穴１６ｃの向きを設定している。
【００２２】
図１，２に示すように、前記排紙胴１１と吸引車１４との間には、ガイド部材である一対のガイドレール１８がフレーム１０に取り付けられており、当該ガイドレール１８は、上記排紙胴１１の近傍部分が前記固定案内板１５，１６の下方に位置するように略へ字状に曲折している。図１，２，６に示すように、対をなす上記ガイドレール１８間には、内部の中空の箱型をなす第二案内板である移動案内板１７が当該ガイドレール１８の長手方向（枚葉紙の搬送方向）に沿って複数（本実施の形態では５つ）配設されており、これら移動案内板１７は、隣接端部に設けられた連結管１９同士がピン２０で回動自在に連結されると共に、当該ピン２０が上記ガイドレール１８に係合して当該ガイドレール１８に沿ってスライド移動できるようになっている。つまり、上記移動案内板１７は、枚葉紙の搬送方向と交差する方向に屈曲できるように連結され、ガイドレール１８は、前記チェーン１２の下方で枚葉紙を案内する案内位置と当該案内位置から離れた固定案内板１５，１６の下方の退避位置との間で移動案内板１７を往復移動できるように案内支持しているのである。
【００２３】
図６に示すように、移動案内板１７の上面（案内面）には、前記固定案内板１５，１６と同様な角穴１７ａおよび丸穴１７ｂが所定の間隔で複数（本実施の形態では２×１０個）形成されている。これら移動案内板１７の上面裏側（内部）の上記穴１７ａ，１７ｂ部分には、前記規制板１５ｃ，１６ｃと同様な規制板１７ｃが前記固定案内板１５，１６と同様にして各々取り付けられている。これら移動案内板１７の下部には、前記コンプレッサがホースを介して連結されている。
【００２４】
つまり、前記コンプレッサを作動して移動案内板１７内に空気を送給すると、当該空気は、前記固定案内板１５，１６の場合と同様にして角穴１７ａから前記幅方向外側へ向けて吹き出すと共に、丸穴１７ｂから上方へ向けて吹き出すことにより、枚葉紙を移動案内板１７の上面に対してわずかに浮かせながら幅方向に引っ張るように作用するのである。
【００２５】
図１，２に示すように、枚葉紙の搬送方向最下流の移動案内板１７の吸引車１４側端部は、ブラケット２１およびボルト２２を介して当該吸引車１４に連結されている。つまり、上記移動案内板１７は、上記吸引車１４のスライド移動に伴って、前記ガイドレール１８に沿ってスライド移動することができる、すなわち、吸引車１４と固定案内板１５との間に隙間を生じさせることなく当該間を覆うことができるようになっているのである。このような移動案内板１７、ガイドレール１８などにより、本実施の形態では第二案内手段を構成している。
【００２６】
なお、図１中、２３は搬送される枚葉紙の上方に設けられて当該枚葉紙の上面へ向けて送風するファンである。
【００２７】
このような排紙装置では、サイズの小さな枚葉紙を排紙する場合、当該枚葉紙のサイズに合うように吸引車１４を紙積台２の近傍にまで移動させると、移動案内板１７がスライド移動して吸引車１４と固定案内板１５との間を覆うようにして配設される。このようにセットした後、枚葉紙の排紙を開始する、すなわち、紙搬送胴１からの枚葉紙の前端を爪竿１３でくわえ、チェーン１２を走行移動させると、固定案内板１５，１６が角穴１５ａ，１６ａおよび丸穴１５ｂ，１６ｂから前記コンプレッサからの空気を吹き出して前述したように枚葉紙をわずかに浮かせながら幅方向に引っ張り、枚葉紙の後端寄りのバタつきを抑制しながら当該枚葉紙の搬送を案内する。次に、枚葉紙が移動案内板１７上に搬送されてくると、当該移動案内板１７が上記固定案内板１５，１６と同様に角穴１７ａおよび丸穴１７ｂから空気を吹き出して上述と同様に枚葉紙をわずかに浮かせながら幅方向に引っ張り、上述と同様に枚葉紙の後端寄りのバタつきを抑制しながら当該枚葉紙の搬送を案内すると共に、前記ファン２３からの風により、枚葉紙の後端のバタつきを確実に抑える。
【００２８】
続いて、枚葉紙が吸引車１４上に搬送されると、吸引車１４が枚葉紙を吸引減速して当該枚葉紙の排紙時の衝撃を減少させる。この状態で枚葉紙が紙積台２の上方の所定位置にまで搬送されると、爪竿１３が枚葉紙のくわえを解放し、枚葉紙が紙積台２に低衝撃で積み重ねられる。
【００２９】
一方、サイズの大きな枚葉紙を排紙する場合、当該枚葉紙のサイズに合うように吸引車１４を固定案内板１５の近傍にまで移動させると、移動案内板１７がスライド移動して固定案内板１５，１６の下方に位置するように退避する。このようにセットした後、枚葉紙の排紙を開始する、すなわち、紙搬送胴１からの枚葉紙の前端を爪竿１３でくわえ、チェーン１２を走行移動させると、固定案内板１５，１６が角穴１５ａ，１６ａおよび丸穴１５ｂ，１６ｂから前記コンプレッサからの空気を吹き出して前述したように枚葉紙の後端寄りのバタつきを抑制し、吸引車１４が枚葉紙を吸引減速して枚葉紙の排紙時の衝撃を減少させ、枚葉紙が紙積台２の上方の所定位置にまで搬送されると、爪竿１３が枚葉紙のくわえを解放し、枚葉紙が紙積台２に低衝撃で積み重ねられる。
【００３０】
つまり、枚葉紙のサイズに合わせて吸引車１４を移動させると、当該吸引車１４の移動に伴って移動案内板１７が移動し、吸引車１４と固定案内板１５との間に生じる隙間をそのサイズに合わせて移動案内板１７で自在に覆うことができるようにしたのである。
【００３１】
このため、サイズの小さな枚葉紙を排紙する場合でも、吸引車１４と固定案内板１５との間での枚葉紙の後端寄りのバタつきを抑制しながら案内することができる。
【００３２】
したがって、どのようなサイズの枚葉紙であっても、バタつかせることなく案内することができる。
【００３３】
また、例えば、枚葉紙の搬送方向上流側へ向けて空気を吹き出す案内板を隣接する吸引車１４間に設ければ、吸引車１４部分における枚葉紙の幅方向のたるみ（波打ち）も防止することができ、枚葉紙の案内をさらに安定して行うことができる。
【００３４】
なお、本実施の形態では、枚葉印刷機で印刷された枚葉紙を排紙する排紙装置に適用した場合について説明したが、シート状物の搬送を案内するシート状物案内装置であれば、上述と同様にして適用することができる。
【００３５】
また、本実施の形態では、固定案内板１５，１６および移動案内板１７の角穴１５ａ〜１７ａから幅方向外側へ向けて空気を吹き出すと共に、丸穴１５ｂ〜１７ｂから上方へ向けて空気を吹き出すことにより、枚葉紙を上記案内板１５〜１７に接触させることなく安定させながら搬送するようにしたが、シート状物のサイズや重さなどの条件によっては、上方のみに空気を吹き出すようにしてもよい。
【００３６】
また、本実施の形態では、固定案内板１５，１６および移動案内板１７の角穴１５ａ〜１７ａおよび丸穴１５ｂ〜１７ｂから空気を吹き出すようにしたが、シート状物のサイズや重さなどの条件によっては、一部の穴から空気を吸引すると共に他の穴から空気を吹出したり、また、すべての穴から空気を吸引したりすることにより、シート状物を案内するようにしてもよい。
【００３７】
また、本実施の形態では、チェーン１２の下方で枚葉紙を案内する案内位置と当該案内位置から離れた固定案内板１５，１６の下方の退避位置との間で移動案内板１７を往復移動できるように略へ字状に曲折したガイドレール１８を用いたが、これに限らず、例えば、上記案内位置と当該案内位置の枚葉紙搬送方向上流端の下方の当該案内位置から離れた退避位置との間で移動案内板１７を往復移動させるように略Ｌ字状に曲折したガイドレールを用いたり、上記案内位置と当該案内位置の下方位置の間で移動案内板１７を往復移動させるように略つ字状に曲折したガイドレールを用いたりすることも可能である。
【００３８】
【発明の効果】
本発明による枚葉印刷機のシート状物案内装置では、減速手段と第一案内手段との間を第二案内手段で常に覆うようにしたので、どのようなサイズのシート状物であっても、上記間でシート状物をバタつかせることなく案内することができる。
【図面の簡単な説明】
【図１】本発明による枚葉印刷機のシート状物案内装置を枚葉紙の排紙装置に適用した場合の実施の形態の概略構成を表す側面図である。
【図２】図１の主要部の平面図である。
【図３】一方の固定案内板の平面図である。
【図４】他方の固定案内板の平面図である。
【図５】図３の矢線Ｖ部の抽出拡大断面図である。
【図６】移動案内板の平面図である。
【図７】従来の排紙装置の一例の概略構造図である。
【符号の説明】
１  紙搬送胴
２  紙積台
１０  フレーム
１１  排紙胴
１２  チェーン
１３  爪竿
１４  吸引車
１４ａ  軸
１４ｂ  ベルト
１４ｃ  吸引孔
１５，１６  固定案内板
１５ａ，１６ａ  角穴
１５ｂ，１６ｂ  丸穴
１５ｃ，１６ｃ  規制板
１５ｄ  連通穴
１７  移動案内板
１７ａ  角穴
１７ｂ  丸穴
１７ｃ  規制板
１８  ガイドレール
１９  連結管
２０  ピン
２１  ブラケット
２２  ボルト
【図１】
0003923148.tif 000002
【図２】
0003923148.tif 000003
【図３】
0003923148.tif 000004
【図４】
0003923148.tif 000005
【図５】
0003923148.tif 000006
【図６】
0003923148.tif 000007
【図７】
0003923148.tif 000008